Podtech/llm-jp-corpus-v4-ja_patent huggingface dataset:
(57)【要約】【課題】本発明は、部品点数を抑え安価に組み立て可能である住宅用分電盤を提供することを目的としている。【解決手段】本発明に係る住宅用分電盤のパネル取り付け構造は、基台の底面にはブレーカを取り付けたときにブレーカに沿うように係止部４を突設し、係止部４には食い切り穴５とブレーカに設けられた突出部に対向する取り付け穴６とを設けると共に、パネル２には食い切り穴５に差し込み可能な差し込み部７と、取り付け穴６に対向する係止穴８とを設け、パネル２の差し込み部７を基台の食い切り穴５に差し込み、ブレーカの突出部を取り付け穴６と係止穴８とに係止させて、ブレーカを固定可能としたことを特徴とする。【選択図】        図２
2004289970.tif 000002
【特許請求の範囲】
【請求項１】
基台にパネルを載置し、該パネル上にブレーカ等の電気機器を配置して成る住宅用分電盤のパネルの取り付け構造であって、前記基台の底面には前記ブレーカを取り付けたときにブレーカに沿うように係止部を突設し、該係止部には食い切り穴と前記ブレーカに設けられた突出部に対向する取り付け穴とを設けると共に、前記パネルには前記食い切り穴に差し込み可能な差し込み部と、前記取り付け穴に対向する係止穴とを設け、前記パネルの差し込み部を前記基台の食い切り穴に差し込み、前記ブレーカの突出部を前記取り付け穴と係止穴とに係止させて、前記ブレーカを固定可能としたことを特徴とする住宅用分電盤のパネル取り付け構造。
【発明の詳細な説明】
【０００１】
【発明の属する技術分野】
本発明は、基台にパネルを載置し、パネル上にブレーカ等の電気機器を配置して成る住宅用分電盤のパネルの取り付け構造に関する。
【０００２】
【従来の技術】
従来の分電盤は、ブレーカ２１を載置するパネル２２の一部を切り起こして掛止部を設け、掛止部にブレーカ２１を掛止させて取り付け位置を決め、図４に示すように、ブレーカ２１の左右端部でねじ止めをし固定していた（例えば特許文献１参照。）。
【０００３】
【特許文献１】
特開２００１−３２７００９号公報
【０００４】
【発明が解決しようとする課題】
しかしながら上記従来技術における分電盤では、ブレーカ２１をねじ止めするためのスペースが必要となり、パネル２２が大きくなっていた。ねじ止めは左右端部で行うため、中央部分の強度が低かった。その他、銅バーが直近にある場合には、パネルに掛止部を設けてブレーカを固定することはできなかった。
【０００５】
【課題を解決するための手段】
そこで本発明は、部品点数を抑え安価に組み立て可能である住宅用分電盤を提供することを目的とし、その構造は、基台の底面にはブレーカを取り付けたときにブレーカに沿うように係止部を突設し、係止部には食い切り穴とブレーカに設けられた突出部に対向する取り付け穴とを設けると共に、パネルには食い切り穴に差し込み可能な差し込み部と、取り付け穴に対向する係止穴とを設け、パネルの差し込み部を基台の食い切り穴に差し込み、ブレーカの突出部を取り付け穴と係止穴とに係止させて、ブレーカを固定可能としたことを特徴とする。
【０００６】
【発明の実施の形態】
住宅用分電盤は、基台にパネルを敷き、パネルにブレーカ等の電気機器を配置する。基台にはパネルとブレーカとを共に係止する係止部を突設し、係止部には食い切り穴と取り付け穴とをそれぞれ設ける。パネルには食い切り穴に対向する位置に差し込み部を、取り付け穴に対向する位置に係止穴を設ける。パネルを食い切り穴に差し込み部を差し込み、取り付け穴に係止穴を対向させて基台に載置し、その状態で、ブレーカの突出部を係止穴と取り付け穴とに係止させて、ブレーカを基台に固定すると同時にパネルも基台に固定する。
【０００７】
【実施例】
本発明に係る住宅用分電盤のパネル取り付け構造の実施例を図１〜図２の添付図面に基づいて説明する。
【０００８】
住宅用分電盤は基台１にパネル２を載置し、パネル２上にブレーカ３等の電気機器を配置して構成される。本発明はパネル２の取り付け構造に関する。
【０００９】
基台１には、底面に住宅用分電盤内側に向けて係止部４を突設し、係止部４には食い切り穴５と取り付け穴６とをそれぞれ設ける。
【００１０】
パネル２には、基台１に設けた食い切り穴５に差し込み可能である差し込み部７を形成すると共に、取り付け穴６に対向する位置には係止穴８を設ける。
【００１１】
ブレーカには、端部側面に基台１に固定するための突出部９を形成する。
【００１２】
パネル２の差し込み部７を食い切り穴５に差し込んでパネル取り付けの位置決めをしながら、取り付け穴６に係止穴８を対向させて載置する。その上からブレーカ３を取り付けるが、ブレーカ３の突出部９をパネル２に設けた係止穴８と基台１に設けた取り付け穴６に係止させると共に、ブレーカ３の反対側は充電部を構成する銅バー等に接続することで、ブレーカ３を基台１に固定すると同時に、パネル２も基台１に固定する。
【００１３】
本発明の住宅用分電盤のパネル取り付け構造に使用するパネルは、配置するブレーカの個数は問わず、複数個載置可能としても、１個のみ載置できるものでもよい。
【００１４】
また、基台に設けるパネル固定用の係止部は食い切り穴に限定されるものではなく、袋状の形状に変更してもよく、本発明の趣旨を逸脱しない範囲において適宜変更可能である。
【００１５】
【発明の効果】
以上述べたように、本発明は、基台の底面にはブレーカを取り付けたときにブレーカに沿うように係止部を突設し、係止部には食い切り穴とブレーカに設けられた突出部に対向する取り付け穴とを設けると共に、パネルには食い切り穴に差し込み可能な差し込み部と、取り付け穴に対向する係止穴とを設け、パネルの差し込み部を基台の食い切り穴に差し込み、ブレーカの突出部を取り付け穴と係止穴とに係止させて、ブレーカを固定可能としたため、ねじ等の他の部品も必要なく、ブレーカとパネルの基台への取り付けが同時に行えるため作業性が向上する。ブレーカの取り付けは差し込むだけでよいため、位置決めも容易である。パネルやブレーカは１個ずつ基台に固定されるため、分岐中央部の強度も増すことができる。
【図面の簡単な説明】
【図１】本発明に係る住宅用分電盤のパネル取り付け構造を示す斜視図である。
【図２】本発明に係る住宅用分電盤のパネル取り付け構造の基台（一部）とパネルを示す斜視図である。
【図３】本発明に係る住宅用分電盤のパネル取り付け構造を示す側面図である。
【図４】従来技術における住宅用分電盤のパネル取り付け構造を示す斜視図である。
【符号の説明】
１      基台
２      パネル
３      ブレーカ
４      係止部
５      食い切り穴
６      取り付け穴
７      差し込み部
８      係止穴
９      突出部
【図１】
2004289970.tif 000003
【図２】
2004289970.tif 000004
【図３】
2004289970.tif 000005
【図４】
2004289970.tif 000006
(57)【要約】【課題】この発明は、家庭内のリモコン放置を防ぎ、テーブル、こたつに装着するリモコンホルダーに関するものである。【解決手段】伸縮性のあるコード（３）の両端に、柔軟性のあるベルト（シート）（１）、（４）を設け、このベルト（シート）（１）、（４）にマジックテープ（２）、（５）を設ける。【選択図】図１
2004289768.tif 000002
【特許請求の範囲】
【請求項１】
（イ）  伸縮性のあるコード（３）の両端に、柔軟性のあるベルト（シート）（１）、（４）を設ける。
（ロ）  柔軟性のあるベルト（シート）（１）、（４）にマジックテープ（２）、（５）を設ける。
以上の如く構成されたリモコンホルダー。
【発明の詳細な説明】
【０００１】
【発明の属する技術分野】
この発明は、家庭内のリモコンの放置を防ぎ、テーブル、こたつに装着するリモコンホルダーに関するものである。
【０００２】
【従来の技術】
従来、家庭内のリモコンでエアコンの壁に固定する壁掛けタイプのエアコンホルダーはあるが、テレビ、ビデオなどのリモコンは、テーブル、こたつなどの決められた場所に置かれていた。しかし、いずれのリモコンも決められた場所に戻すのがわずらわしく放置されがちである。又、冬季こたつを使用する場合には、リモコンがこたつ布団などの物影に隠れ、捜さなければならないことが頻繁におこる。その他、食事などでテーブル上を使用する場合には、リモコンが邪魔になることがある。
【０００３】
【発明が解決しようとする課題】
今まで次のような欠点があった。
（イ）  固定するタイプのリモコンホルダーしかない。
（ロ）  リモコンをきめられた場所に戻すのがわずらわしく放置されてしまう。
（ハ）  冬季こたつを使用する場合、リモコンがこたつ布団などの物影に隠れ捜すことが頻繁にある。
（ニ）  食事などでテーブル上を使用する場合、リモコンが邪魔になる。
この発明は、以上の欠点を解決するためになされたものである。
【０００４】
【課題を解決するための手段】
（イ）  伸縮性のあるコード（３）の両端に、柔軟性のあるベルト（シート）（１）、（４）を設ける。
（ハ）  柔軟性のあるベルト（シート）（１）、（４）に、マジックテープ（２）、（５）を設ける。
【０００５】
【発明の実施の形態】
以下、この発明の実施の形態を説明する。
（イ）  伸縮性のあるコード（３）の両端に、柔軟性のあるベルト（シート）（１）、（４）を設ける。以下コードとする。
（ロ）  柔軟性のあるベルト（シート）（１）、（４）にマジックテープ（２）、（５）を設ける。以下ベルトとする。
（ハ）  コード（３）の一端にあるベルト（１）をリモコンに巻きつけ、マジックテープ（２）で固定する。
（ニ）  コード（３）の他の一端にあるベルト（４）は、テーブル、こたつに装着する。
（ホ）  テーブルに使用する場合は、他の一端にあるベルト（４）をテーブル脚に巻きつけ、マジックテープ（５）で固定する。図３参照。
（ヘ）  冬季のこたつに使用する場合は、他の一端にあるベルト（４）を折りたたみ、こたつ板とこたつ布団の間に挟み込み固定する。図４参照。
（ト）  冬季以外のこたつに使用する場合は、他の一端にあるベルト（４）をこたつのはりに巻きつけマジックテープ（５）で固定する。図５参照。又、図３のように脚に巻きつけたり、図６のようにこたつ板とこたつの間に挟み込んでの使用も可能。
（チ）  リモコンがテーブル上で邪魔な場合は、コード（３）を下へ垂らすことができる。図７参照。又、他の一端にあるベルト（４）を移動すれば、リモコンの移動ができる。
【０００６】
【発明の効果】
この発明を使用することにより、リモコンが放置されるのを防ぎ、季節を問わずテーブル、こたつに装着できる。又、テーブル上を使用する場合邪魔にならず、移動も可能である。
【図面の簡単な説明】
【図１】本発明の正面図
【図２】本発明の裏面図
【図３】テーブル脚使用斜視図
【図４】冬季こたつ使用斜視図
【図５】冬季以外こたつ使用斜視図１
【図６】冬季以外こたつ使用斜視図２
【図７】本発明の他の使用斜視図
【符号の説明】
１、４はベルト  ３はコード  ２、５はマジックテープ
【図１】
2004289768.tif 000003
【図２】
2004289768.tif 000004
【図３】
2004289768.tif 000005
【図４】
2004289768.tif 000006
【図５】
2004289768.tif 000007
【図６】
2004289768.tif 000008
【図７】
2004289768.tif 000009
(57)【要約】【課題】複数のＩＤタグから送信されるＩＤデータを受信するＲＦＩＤ装置において、多数のＩＤデータを受信できるＲＦＩＤ装置を提供する。【解決手段】ＩＤタグから間欠送信する信号の発振周波数を、送信する度に切り替えて、多くのＩＤデータを同時に受信できるように構成する。【選択図】      図１
2004289765.tif 000002
【特許請求の範囲】
【請求項１】
複数のＩＤタグからＩＤコードを読み取るＲＦＩＤ装置において、受信機側から低い周波数でトリガ電波を送信し、ＩＤタグが受信機に接近して、そのトリガ信号を受信した時に、繰り返しＩＤコードを高い周波数で間欠送信する動作において発振周波数を切り替えて送信し、受信機は切り替えて送信される各送信周波数を同時に受信することを特徴とするＲＦＩＤ装置。
【発明の詳細な説明】
【０００１】
【発明の属する技術分野】本発明は、多数の移動する物や人が接近したり通過することを検出して移動体の情報を管理するＲＦＩＤ装置に関する。
【０００２】
【従来の技術】従来の方法は、ＩＤタグからＩＤ番号データを送信する時に発振する周波数が固定されていて、間欠発信する方法で複数のＩＤタグを受信可能にしていた。
例えば、特許文献  特願平６−２２２６９８  特願２００２−１４６９５９
【０００３】
【発明が解決しようとする課題】以上の従来技術によれば、ＩＤタグから発振する周波数が固定されていて、同時に受信出来るＩＤタグの数量に限界があった。
【０００４】また発振する周波数で、周囲に大きいノイズがあると、受信妨害されてＩＤコードを受信出来ない場合があった。
【０００５】
【課題を解決するための手段】以上の課題を解決するため、請求項１の発明は、ＩＤタグが間欠発振する度に送信周波数を切り替えるＲＦＩＤ装置である。
【０００６】マイコンソフトにより周波数制御可能な、高い周波数（数十ＭＨｚ〜数百ＭＨｚ）で任意の周波数を発振する、ＰＬＬやＤＤＳ発振器等を使用して、タグからＩＤデータなどを送信する。
【０００７】
【発明の実施の形態】発明の実施の形態を実施例にもとづき図面を参照して説明する。
【０００８】
図１は、ＲＦＩＤ装置の構成を示す。
ＩＤ受信機２のトリガ送信回路２１で生成される低い周波数のトリガ送信電波がトリガ送信アンテナ２２から周囲に送信される。
トリガ送信周波数は、１０〜５００ｋＨｚあたりの低い周波数が適している。
【０００９】ＩＤタグ１には、トリガ受信アンテナ１１があり、トリガ信号を受信すると、トリガ受信回路１２で検出されて、マイコン１３が動作する。
【００１０】ＰＬＬ回路１４は、水晶振動子１５の安定度に準ずる高い周波数を生成する。
間欠送信する度に、任意の周波数をマイコンから設定して、ＰＬＬ回路は異なる周波数を発振する。
【００１１】ＰＬＬ回路１４の発振周波数は、例えば３１１ＭＨｚ、３１２ＭＨｚ、３１３ＭＨｚなどの内１つを送信する度に選び、マイコンから設定する。マイコン１３は、そのタグ特有の番号のＩＤコードをＰＬＬ回路１４に出力し、発振周波数に変調をかけて、ＩＤデータを送信する。
【００１２】ＩＤタグから送信された信号は、ＩＤ受信機２のアンテナ２３に入り、ＩＤ受信回路２４で受信される。
ＩＤデータの送信時間は、例えば６４ビットの構成で６４ＫＢＰＳの速度で送信すると１ｍＳになる。
従って１ｍＳ送信して９ｍＳ休止する間欠送信すれば、１つの周波数で最大１０個のＩＤタグデータを受信可能である。
【００１３】ＩＤ受信回路２４は、ＩＤタグが送信する各周波数を同時に受信するように、各周波数毎の受信回路を設ける。
同時に受信する周波数が３つの場合は、前記間欠発信の条件の場合、最大３０個のＩＤタグ信号を受信可能になる。
ＩＤタグが送信する周波数の順序は、予め定めた順序でも良いが、ランダムな順序にすると効果的である。
同時に同じ周波数で発信するＩＤタグ同士が、その時妨害しあって受信出来なくても、次に間欠発信する周波数が異なっていれば、それぞれ受信可能になる。
【００１４】
受信されたＩＤデータは、時刻情報等と共にコンピュータ２５で表示や記録されて、ユーザーが必要な情報処理を行う。
情報処理の内容は例えば、ＩＤタグが受信機に接近したことを表示したり、通過時刻や通過回数を記憶及び表示する等のソフト処理する。
【００１５】
【発明の効果】以上説明したように本発明によれば、ＩＤタグから送信する発振周波数を間欠発信する度に切り替える方法により、同時に受信出来るタグの数量が発振周波数の切替数に比例して大きく出来て、特定の周波数で大きいノイズの妨害を受けても、時々刻々切り替えられる他の発振周波数で受信可能になり、信頼性の高いＲＦＩＤ装置を提供できる。
【図面の簡単な説明】
【図１】本発明ＲＦＩＤ装置の実施例を示す。
【符号の説明】
１    ＩＤタグ
１１  トリガ受信アンテナ
１２  トリガ受信回路
１３  マイコン
１４  ＰＬＬ回路
１５  水晶振動子
１６  アンテナ
１７  充電回路
１８  充電電池
２    ＩＤ受信機
２１  トリガ送信回路
２２  トリガ送信アンテナ
２３  ＩＤ受信アンテナ
２４  ＩＤ受信回路
２５  コンピューター
【図１】
2004289765.tif 000003
(57)【要約】【課題】撮影された映像に含まれる任意の移動する被写体を、他の映像に差し替えることが可能なテレビジョンカメラを提供する。【解決手段】撮影された映像中から、予め設定された特徴に合致する被写体を検出し、それに対応する予め設定された差し替え映像と検出した映像を重ね合わせる手段６，７，９を備えたことを特徴とする。【選択図】  図１
2004289350.tif 000002
【特許請求の範囲】
【請求項１】
撮影された映像中から、予め設定された特徴に合致する被写体を検出し、それに対応する予め設定された差し替え映像と検出した映像を重ね合わせる手段を備えたことを特徴とするテレビジョンカメラ。
【発明の詳細な説明】
【０００１】
【発明の属する技術分野】
本発明は、任意の条件、特徴に合致する映像中の特定の被写体部分を、予め登録された任意の画像に、自動的に差し替える機能を備えたテレビジョンカメラに関するものである。
【０００２】
【従来の技術】
従来、映像中の特定の被写体／エリアを他の映像に差し替える場合、予め映像中の差し替えたいエリアを設定しておき、カメラ向き、レンズのズーム比などが変化した場合に、その情報をもとに、差し替え対象となるエリアの大きさ、位置を調整している。
【０００３】
上記従来の技術について、特許公開公報をインターネットでキーワード検索したところ、同じものは見つからなかったが、カメラから得られる映像を通常のモニタ画面に挿入する特許公開公報があった（例えば、特許文献１参照）。
【０００４】
【特許文献１】
特開２０００−４１２３９号公報（要約）
【０００５】
【発明が解決しようとする課題】
しかしながら、従来の技術によるテレビジョンカメラにおいては、対象となる被写体が動いた場合に、映像を差し替える被写体／エリアと差し替えたい対象物とが合致できなくなる課題がある。
【０００６】
本発明の目的は、撮影された映像に含まれる任意の移動する被写体を、他の映像に差し替えることが可能なテレビジョンカメラを提供することにある。
【０００７】
【課題を解決するための手段】
上記目的を達成するために、本発明のテレビジョンカメラ装置は、撮影された映像中から、予め設定された特徴に合致する被写体を検出し、それに対応する予め設定された差し替え映像と検出した映像を重ね合わせる手段を備えたことを特徴とする。
【０００８】
【発明の実施の形態】
本発明によるテレビジョンカメラの実施の形態を、図１を用いて説明する。
【０００９】
図１において、１は撮像レンズ、２はＣＣＤ撮像素子、３はＣＣＤ撮像素子２から光電変換され出力される映像信号に含まれるサンプリング雑音などを低減する相関二重サンプリング回路／低域通過フィルタ（ＣＤＳ回路／ＬＰＦ）、４は雑音を低減した映像信号を利得制御増幅する利得制御回路、５は利得制御回路４から出力される映像信号をＡ／Ｄ変換を行い、デジタル化しディテール補正、ガンマ補正等の所要の信号処理を行う映像信号処理部、６は映像信号処理部５から出力される映像信号データを順次一定時間分保存できる映像信号用リングバッファである。
【００１０】
また、７は差し替えエリア部分の映像データを生成し、映像信号用リングバッファ６の最新の映像信号データへの合成処理を行なうマスク映像処理部、８はマスク映像生処理部７から出力された映像信号データを外部機器に送出するためにＮＴＳＣ方式などの一般的な映像フォーマットに変換し出力する映像信号出力部、９は利得制御回路４及び映像信号処理部５を制御するとともに、映像信号用リングバッファ６の映像データを参照しパターンマッチング、動き検出などの解析をし、マスク映像生成部８を制御するＣＰＵを示す。
【００１１】
以下、動作について説明する。
【００１２】
本発明の実施の形態のテレビジョンカメラにおいて、撮像レンズ１を通過した被写体からの入射光は、ＣＣＤ撮像素子２にそれぞれ入射される。
【００１３】
ＣＣＤ２撮像素子は入射されるそれぞれの入射光をそれぞれの映像信号に光電変換し、光電変換した映像信号をＣＤＳ回路／ＬＰＦ３のそれぞれに出力する。
【００１４】
各ＣＤＳ／ＬＰＦ３は、ＣＣＤ撮像素子２から入力される映像信号に含まれる熱雑音や１／ｆ雑音等を低減し、利得制御回路４へと出力する。
【００１５】
利得制御回路４はＣＤＳ／ＬＰＦ３から入力される各映像信号を所要レベルまで利得増幅し、利得増幅した映像信号を映像信号処理部５へと出力する。
【００１６】
映像信号処理部５は利得制御回路４から入力される映像信号に、ニー補正、ディテール補正、ガンマ補正等の所要の信号処理をし、その画像データを映像信号用リングバッファ６に対し、ＣＰＵ９にて指定されたメモリ領域へ書き込む。
【００１７】
ＣＰＵ９は映像信号用リングバッファ６に蓄積された映像信号データを解析し、映像中から予め設定された特徴に合致する被写体をパターンマッチングにより検出し、それに対応する予め設定された差し替え映像と検出した映像が重なるようにマスク映像生成部７を制御する。
【００１８】
マスク映像生成部７はＣＰＵ９によって制御され生成したマスク映像を映像信号リングバッファ６内の映像データに重ね合わせ、映像信号出力部８へと出力する。
【００１９】
映像信号出力部８は、マスク映像生成部７から入力される加工処理済みの映像信号データを、ＮＴＳＣ信号にエンコードし、モニタなどの他の機器へと出力する。
【００２０】
本発明の実施の形態によれば、監視用途において撮影された生の映像に対し、識別し易い映像へと差し替えることができる。またデフォルメすることで観測者の負担を軽減することができる。また、撮影風景の中に映る（移動する）撮影されることを望まない人物像など画像の差し替え処理を行なうことで、人物のプライバシーを守ることができる。
【００２１】
【発明の効果】
本発明の実施の形態によれば、撮影された映像に含まれる任意の移動する被写体を、他の映像に差し替えることが可能なテレビジョンカメラを得ることができる。
【図面の簡単な説明】
【図１】本発明によるテレビジョンカメラの実施の形態のブロック図である。
【符号の説明】
１：撮像レンズ、２：ＣＣＤ撮像素子、３：相関二重サンプリング回路／低域通過フィルタ、４：利得制御回路、５：映像信号処理部、６：映像データリングバッファ、７：マスク映像生成部、８：映像信号出力部、９：ＣＰＵ。
【図１】
2004289350.tif 000003
(57)【要約】【目的】ＩＣチップと水晶片を一体化し、小型化特に高さ寸法を小さくした表面実装発振器を提供する。【構成】水晶片とＩＣチップとを実装基板に一体的に収容してなる表面実装用の水晶発振器において、前記実装基板に前記水晶片の主面に対して間隙をもって固着し、前記ＩＣチップの一主面に設けられた凹所内に前記水晶片を収容して密閉封入した構成とする。これにより、ＩＣチップがカバ−を兼用するので、高さ寸法を小さくできる。【選択図】図１
2004153470.tif 000002
【特許請求の範囲】
【請求項１】
水晶片とＩＣチップとを実装基板に一体的に収容してなる表面実装用の水晶発振器において、前記実装基板に前記水晶片の主面に対して間隙をもって固着し、前記ＩＣチップの一主面に設けられた凹所内に前記水晶片を収容して密閉封入したことを特徴とする水晶発振器。
【発明の詳細な説明】
【０００１】
【発明の属する技術分野】
本発明は表面実装用の水晶発振器（以下、表面実装発振器とする）を産業上の技術分野とし、小型化を促進した表面実装発振器に関する。
【０００２】
（発明の背景）表面実装発振器は小型・軽量であることから、特に携帯用の電子機器に周波数や時間の基準源として広く採用されている。近年では、ますますの小型化が進行し、さらなる開発段階にある。
【０００３】
（従来技術の一例）第３図は一従来例を説明する表面実装発振器の断面図である。
表面実装発振器は実装基板１としての容器本体１ａと、発振回路を形成して容器本体１ａに収容されるＩＣチップ２及び水晶片３と、これらを密閉封入するカバー４とからなる。容器本体１ａは凹状とした積層セラミックからなり、電源、出力及びアース端子等の実装端子５を外表面の４角部に有する。
【０００４】
ＩＣチップ２は他主面を固着して、ワイヤーボンディングの金線６によって一主面の図示しないＩＣ端子を容器内底面の電極パターンに接続する。これらの電極パターンは前述の実装端子５及び水晶片３と電気的に接続する。水晶片３は図示しない励振電極から引出電極の延出した一端部両側を、凹部の段部に導電性接着剤７等によって固着される。
【０００５】
【発明が解決しようとする課題】
（従来技術の問題点）しかしながら、上記構成の水晶発振器ではＩＣチップ２と水晶片３を密閉封入するのにカバー４を要する分、高さ寸法を大きくする問題があった。
【０００６】
（発明の目的）本発明は小型化特に高さ寸法を小さくした表面実装発振器を提供することを目的とする。
【０００７】
【課題を解決するための手段】
（着目点）本発明は実装基板としての容器本体内にＩＣチップと水晶片を収容することから、必ずしも空隙を有する必要のないＩＣチップをカバーに兼用する点に着目した。
【０００８】
（解決手段）本発明はＩＣチップの一主面に凹所を設けて、水晶片を凹所内に収容して密閉封入したことを基本的な解決手段とする。これにより、ＩＣチップがカバーを兼用するので、高さ寸法を小さくできる。以下、本発明の一実施例を説明する。
【０００９】
【第１実施例】
第１図は本発明の第１実施例を説明する表面実装発振器の断面図である。なお、前従来例と同一部分には同番号を付与してその説明は簡略又は省略する。
表面実装発振器は前述のように外表面の４角部に実装端子５を有する実装基板１とＩＣチップ２と水晶片３とからなる。この実施例では、実装基板１は積層セラミックからなり、平板状とする。ＩＣチップ２は他主面に凹所を有し、一主面にＩＣ端子（未図示）を有する。
【００１０】
このようなものでは、水晶片３は励振電極から引出電極の延出した一端部両側が導電性接着剤７によって固着され、実装基板１に対して主面が間隙を有する。そして、水晶片３を凹所内に覆ってＩチップの脚部先端が固着され、水晶片３を密閉封入する。脚部先端は例えば図示しない絶縁性の接着剤によって固着される。
【００１１】
ＩＣチップ２のＩＣ端子はワイヤーボンディングの金線６によって実装基板１の表面に形成された水晶片３及び実装端子５と電気的に接続した電極パターンに接続する。水晶片３の一端部両側に延出した一対の引出電極は、スルーホール及び積層面を経て導電路８によって電極パターンに接続する。そして、ＩＣチップ２及び金線６を覆って樹脂９によりモールドされる。
【００１２】
このような構成であれば、ＩＣチップ２によって水晶片３を基本的に密閉封入するので、従来のカバー４を不要にする。したがって、表面実装発振器の小型化を促進する。特に、高周波になるほど水晶片は小さくなるので、適用し易い。
【００１３】
【第２実施例】
第２図は本発明の第２実施例を説明する表面実装発振器の図である。なお、前実施例と同一部分の説明は省略又は簡略する。
前実施例では実装基板１を平板状としたが、この第２実施例では段部を有する凹状とする。凹部底面には前述のように水晶片３を固着し、ＩＣチップ２の凹所内に密閉封入する。そして、実装端子５及び水晶片３に接続する電極パターンを段部に形成し、ＩＣチップ２とワイヤーボンディングによって電気的に接続する。さらに、ＩＣチップ２及び金線６を覆うように樹脂９を充填する。
【００１４】
このような構成であれば、前第１実施例と同様にカバー４を除去して高さ寸法を小さくできる。そして、この例では容器本体１ａを凹状とするので、樹脂９を容易に充填できて外観も整形できる。
【００１５】
【発明の効果】
本発明はＩＣチップの一主面に凹所を設けて水晶片を凹所内に収容して密閉封入したので、小型化特に高さ寸法を小さくした表面実装発振器を提供できる。
【図面の簡単な説明】
【図１】本発明の第１実施例を説明する表面実装発振器の断面図である。
【図２】本発明の第２実施例を説明する表面実装発振器の断面図である。
【図３】従来例を説明する表面実装発振器の断面図である。
【符号の説明】
１  実装基板、２  ＩＣチップ、３  水晶片、４  カバー、５  実装端子、６
金線、７  導電性接着剤、８  導電路、９  樹脂。
【図１】
2004153470.tif 000003
【図２】
2004153470.tif 000004
【図３】
2004153470.tif 000005
(57)【要約】【目的】水晶振動子の裏面に接合する実装基板への回路パターンの形成を容易にして、生産性を高めた表面実装発振器を提供する。【構成】水晶振動子の底面４角部に柱体を有し、前記水晶振動子の底面又は前記柱体に接続した実装基板に回路パターンが形成され、前記回路パターンに少なくともＩＣチップを含む回路素子を配設してなる表面実装用の水晶発振器において、前記回路パターンが形成された後、前記柱体を金属として別個に接続した構成とする。前記金属は円柱とする。【選択図】図１
2004153427.tif 000002
【特許請求の範囲】
【請求項１】
水晶振動子の底面４角部に柱体を有し、前記水晶振動子の底面又は前記柱体に接続した実装基板に回路パターンが形成され、前記回路パターンに少なくともＩＣチップを含む回路素子を配設してなる表面実装用の水晶発振器において、前記回路パターンが形成された後、前記柱体を金属として別個に接続したことを特徴とする水晶発振器。
【請求項２】
前記金属は円柱である請求項１の表面実装用の水晶発振器。
【発明の詳細な説明】
【０００１】
【発明の属する技術分野】
本発明は表面実装用の水晶発振器（以下、表面実装発振器とする）を産業上の技術分野とし、小型化を促進した表面実装発振器に関する。
【０００２】
【従来の技術】
【特許文献１】特開２０００−２９９６１１
【０００３】
（発明の背景）表面実装発振器は小型・軽量であることから、特に携帯用の電子機器に周波数や時間の基準源として広く採用されている。近年では、ますますの小型化が進行し、さらなる開発段階にある。
【０００４】
（従来技術の一例）第３図は一従来例を説明する表面実装発振器の分解組立図である。
表面実装発振器は水晶振動子１と実装基板２とからなる。水晶振動子１は積層セラミックからなる容器本体３内に図示しない水晶片を収容して金属カバー４を被せ、密閉封入してなる。容器本体３は積層セラミックからなり、底面の４角部に外部端子（未図示）を有する。外部端子は例えば水晶片と電気的に接続した一対の水晶端子を一組の対角部に、金属カバー４と接続したアース端子を他組の対角部に有する。
【０００５】
実装基板２は平板２ａの４角に一体的に焼成によって形成した柱体５を有する積層セラミックからなる。柱体５の先端表面には外部端子と対応した外部受け端子（未図示）を有する。そして、平板２ａ表面には図示しない回路パターンが形成され、水晶片とともに発振回路等を構成するＩＣチップ６及びコンデンサ７等の回路素子を収容する。平板２ａの底面４角部には実装端子を有する。そして、水晶振動子１の外部端子と実装基板２の外部受け端子とを半田等によって接続して表面実装発振器を形成する。
【０００６】
あるいは、第４図に示したように水晶振動子１の容器本体３の底面４角部に柱体５を焼成によって一体的に形成して、回路パターンを形成する。柱体５の先端表面には回路パターンが接続した実装端子を有する。そして、回路パターンにＩＣチップ６を含む回路素子を配設した構成とする。このようなものでは、実装基板２あるいは水晶振動子１の４角部に柱体５を設けるので、平板２ａ面積を大きくして複数の回路素子を配設できる。
【０００７】
【発明が解決しようとする課題】
（従来技術の問題点）しかしながら、上記構成の表面実装発振器では実装基板２の表面あるいは水晶振動子１の底面には回路パターンを形成する必要がある。一般には、印刷によって導電体を塗布し、セラミック生地とともに一体的に焼成される。しかし、平面外形がさらに小さくなると、柱体５が障害となって回路パターンへの印刷が困難になる。そして、断線等を含めて正確な回路パターンが形成できない場合には、表面実装発振器として機能せず、生産性を低下する問題があった。
【０００８】
（発明の目的）本発明は実装基板への回路パターンの形成を容易にして、生産性を高めた表面実装発振器を提供することを目的とする。
【０００９】
【課題を解決するための手段】
本発明は、水晶振動子の底面４角部に柱体を有し、前記水晶振動子の底面又は前記柱体に接続した実装基板に回路パターンが形成され、前記回路パターンに少なくともＩＣチップ６を含む回路素子を配設してなる表面実装用の水晶発振器において、前記回路パターンが形成された後、前記柱体５を金属として別個に接続した構成とする。また、金属を円柱とする。
【００１０】
これにより、平面状とした水晶振動子の底面又は実装基板の表面に回路パターンを形成できるので、回路パターンの形成を容易にする。そして、柱体を金属の円柱とするので、位置ズレを防止する。以下、本発明の一実施例を防止する。
【００１１】
【実施例】
第１図は本発明の一実施例を説明する表面実装発振器の図である。なお、前従来例と同一部分には同番号を付与してその説明は簡略又は省略する。
表面実装発振器は前述したように底面４角部に外部端子を有する水晶振動子１の底面に柱体５を有する実装基板２を接合してなる。この実施例では実装基板２はセラミックからなる平板２ａと金属からなる円柱８からなる。
【００１２】
このようなものでは、先ず、平板２ａの表面に印刷による回路パターンを形成した後、半田等によって金属円柱８を４角部の図示しない端子に接続する。次に、少なくともＩＣチップ６及びコンデンサ等の回路素子を配設する。あるいは、回路素子を配設した後、金属円柱８を接続する。最後に、実装基板２の金属円柱８を水晶振動子１の底面４角部の外部端子に接合する。なお、金属円柱８を水晶振動子１の底面に接合した後、実装基板２に接続してもよい。
【００１３】
このような構成であれば、実装基板自体は平板２ａとするので、マスクをかけてのスクリーン印刷法による回路パターンの印刷を容易にする。したがって、表面実装発振器の生産性を向上する。また、柱体を円柱８とするので、接続する際の方向性がなく接続作業を容易にする。
【００１４】
【他の事項】
上記実施例では金属円柱８は実装基板２に設けたが、水晶振動子１の容器本体３に回路素子と接続する回路パターンを形成して４角部に金属円柱８を設けてもよい。この場合でも、実施例同様に回路パターンの印刷を容易にして生産性を高められる。なお、柱体は円柱８としたが、基本的には角柱としてもよい。また、柱体は金属としたが例えば絶縁体の表面や内部に導電路を有する実質的な導通体を含む。さらには、実装基板２はセラミックとしたが、ガラスエポキシ等であってもよい。
【００１５】
【発明の効果】
本発明は、水晶振動子１の底面あるいは実装基板２に回路パターンを形成して４角部に柱体を設けたので、回路パターンの形成を容易にして生産性をたかめることができる。
【図面の簡単な説明】
【図１】本発明の一実施例を説明する表面実装発振器の組立分解図である。
【図２】本発明の他の実施例を説明する表面実装発振器の組立分解図である。
【図３】従来例を説明する表面実装発振器の組立分解図である。
【図４】他の従来例を説明する表面実装発振器の組立分解図である。
【符号の説明】
１  水晶振動子、２  実装基板、３  容器本体、４  カバー、５  柱体、６  ＩＣチップ、７  コンデンサ、８  円柱．
【図１】
2004153427.tif 000003
【図２】
2004153427.tif 000004
【図３】
2004153427.tif 000005
【図４】
2004153427.tif 000006
(57)【要約】【課題】本発明は、ステータコアに設ける絶縁輪状体に渡り線からげピンを一体に形成し、強度向上を得ることを目的とする。【解決手段】本発明によるレゾルバの絶縁キャップ構造は、ステータコア（１）に設けた絶縁輪状体（１０）の各突片（２Ａ）間の凹部（３Ａ）に設けた渡り線からげピン（４）を絶縁輪状体（１０）と一体に樹脂成形した構成である。【選択図】        図１
2004153973.tif 000002
【特許請求の範囲】
【請求項１】
全体形状が輪状をなし内方へ向けて突出する複数の突片（２Ａ）を有すると共にステータコア（１）の端面に設ける絶縁輪状体（１０）と、前記各突片（２Ａ）間に形成された凹部（３Ａ）と、前記凹部（３Ａ）の中心位置に形成され軸方向に沿って立設配置の渡り線からげピン（４）とからなるレゾルバの絶縁キャップ構造において、
前記渡り線からげピン（４）は前記絶縁輪状体（１０）と一体に樹脂成形されていることを特徴とするレゾルバの絶縁キャップ構造。
【請求項２】
前記渡り線からげピン（４）は、前記絶縁輪状体（１０）の端面から立ち上げられていることを特徴とする請求項１記載のレゾルバの絶縁キャップ構造。
【発明の詳細な説明】
【０００１】
【発明の属する技術分野】
本発明は、レゾルバの絶縁キャップ構造に関し、特に、渡り線からげピンを絶縁輪状体と一体に形成し、接着剤による接着をなくし、はがれ等をなくして信頼性を向上させるための新規な改良に関する。
【０００２】
【従来の技術】
従来、用いられていたレゾルバの絶縁キャップ構造としては、社内で製作された構成であるため、文献としては示されていないが、図４及び図５で示す構成を挙げることができる。
図４において符号１で示されるものは図では一部のみしか示していないが、全体形状が輪状をなすステータコアであり、このステータコア１には内方へ突出する複数の磁極２が形成されている。
前記各磁極２間には、凹状のスロット３が形成され、このスロット３の内壁３ａの中心位置には、図５で示されるように別体として形成された渡り線からげピン４が接着剤によって後工程として取付けられていた。
【０００３】
従って、このステータコア１の各磁極２にステータ巻線（図示せず）を巻付けて、各スロット３内にステータ巻線を設ける場合、ステータコア１の表面に絶縁樹脂を塗布するか、又は、絶縁紙を巻付け、ステータ巻線とステータコア１との間の絶縁を確保し、一方の磁極２に巻付けたステータ巻線を隣りの磁極２に渡らせて巻付ける場合の渡り線（図示せず）は前記渡り線からげピン４の外側を渡って又は巻付けた後に巻付けられていた。
【０００４】
【発明が解決しようとする課題】
従来のレゾルバの絶縁キャップ構造は、以上のように構成されていたため、次のような課題が存在していた。
すなわち、渡り線からげピンを接着剤でスロットの内壁に接着していたため、ステータ巻線の巻付け動作時に、大きい力が加わると渡り線からげピンがステータコアのスロット部分から離脱することがあった。
従って、ステータコアに対するステータ巻線の巻付け作業の効率を上げることが困難であった。
【０００５】
本発明は、以上のような課題を解決するためになされたもので、特に、渡り線からげピンを絶縁輪状体と一体に形成し、接着剤による接着をなくし、はがれ等をなくして信頼性を向上させるようにしたレゾルバの絶縁キャップ構造を提供することを目的とする。
【０００６】
【課題を解決するための手段】
本発明によるレゾルバの絶縁キャップ構造は、全体形状が輪状をなし内方へ向けて突出する複数の突片を有すると共にステータコアの端面に設ける絶縁輪状体と、前記各突片間に形成された凹部と、前記凹部の中心位置に形成され軸方向に沿って立設配置の渡り線からげピンとからなるレゾルバの絶縁キャップ構造において、前記渡り線からげピンは前記絶縁輪状体と一体に樹脂成形されている構成であり、また、前記渡り線からげピンは、前記絶縁輪状体の端面から立ち上げられる構成である。
【０００７】
【発明の実施の形態】
以下、図面と共に本発明によるレゾルバの絶縁キャップ構造の好適な実施の形態について説明する。尚、従来例と同一又は同等部分には同一符号を付して説明する。
図２において符号１で示されるものは、図では一部のみしか示していないが、全体形状が輪状をなすステータコアであり、このステータコア１の両端には樹脂成形の一対の絶縁輪状体１０（当業者は絶縁キャップと云う）が設けられている。
【０００８】
前記絶縁輪状体１０には、内方へ向けて突出する複数の突片２Ａが形成されており、各突片２Ａは各磁極２に対応し、各磁極２は各突片２Ａによって覆われることにより絶縁が施された状態となる。
【０００９】
前記絶縁輪状体１０の各突片２Ａ間に形成された凹部３Ａの中心位置には、ステータコア１の軸方向に沿ってその端面１ａから形成された立設配置の渡り線からげピン４がこの絶縁輪状体１０と一体に樹脂成形で成形されている。
前記絶縁輪状体１０の突片２Ａの内端には、図３のように、磁極２の外周にステータ巻線２０を巻付けた場合のステータ巻線２０の位置決めを行うための内側壁７が設けられている。
また、前記絶縁輪状体１０の外縁位置には、図示しない巻線カバーを取付けるための輪状壁５が軸方向に突出して形成されている。
図３は前述の内側壁７、ステータ巻線２０、渡り線からげピン４及び輪状壁５の半径方向に沿う関係を示すために、図１のＡ−Ａ断面を開示している。
【００１０】
次に、前述の状態で、図１に示す絶縁輪状体１０を、図２のように、ステータコア１の両面に装着し、前記磁極２の外周にステータ巻線２０を巻付ける。
この巻付けの際に、一方の磁極２に巻付けたステータ巻線２０は、前記渡り線からげピン４の外側を経て隣りの磁極２に巻付けられる。
【００１１】
【発明の効果】
本発明によるレゾルバの絶縁キャップ構造は、以上のように構成されているため、次のような効果を得ることができる。
すなわち、ステータコアに設ける絶縁輪状体に渡り線からげピンが一体に形成されているため、従来の接着構成に比較すると、その強度信頼性は大幅に向上し、巻線作業の効率向上と製品信頼性を得ることができる。また、渡り線からげピンを接着する必要がないため、接着作業をなくし、時間の短縮ができ、巻線作業の効率を上げることができる。
【図面の簡単な説明】
【図１】本発明によるレゾルバの絶縁キャップ構造に用いる絶縁輪状体を示す斜視図である。
【図２】図１の絶縁輪状体をステータコアに取付けた状態の要部を示す斜視図である。
【図３】図１のＡ−Ａ断面図である。
【図４】従来のステータコアを示す要部の斜視図である。
【図５】図４の渡り線からげピンを示す拡大斜視図である。
【符号の説明】
１    ステータコア
２Ａ    突片
３Ａ    凹部
４    渡り線からげピン
１０    絶縁輪状体
１０ａ    端面
【図１】
2004153973.tif 000003
【図２】
2004153973.tif 000004
【図３】
2004153973.tif 000005
【図４】
2004153973.tif 000006
【図５】
2004153973.tif 000007
(57)【要約】【課題】本発明は、１対の絶縁輪状体を１種の金型によって同一形状とすることにより、安価でかつ生産性の向上を得ることを目的とする。【解決手段】本発明によるレゾルバの絶縁キャップ構造は、ステータ体（１）の両面に取付ける１対の絶縁輪状体（２、３）を１種の金型で樹脂成形した同一形状とすることにより、ピン（８）は穴（７）に挿入固定した構成である。【選択図】        図１
2004153972.tif 000002
【特許請求の範囲】
【請求項１】
樹脂成形され全体形状が輪状をなし内方へ向けて突出する複数の突片（１０）を有する第１、第２絶縁輪状体（２、３）と、前記各突片（１０）の内端に形成され軸方向に沿って延設された内側壁（１１）と、前記各突片（１０）間に形成された凹部（１２）と、前記第１、第２絶縁輪状体（２、３）の周縁に形成され半径方向に突出する突出部（６）と、前記突出部（６）に形成された複数の穴（７）とを備え、
前記第１、第２絶縁輪状体（２、３）は同一形状で構成されていることを特徴とするレゾルバの絶縁キャップ構造。
【請求項２】
前記第１、第２絶縁輪状体（２、３）の少なくとも一方の前記穴（７）にはピン（８）が設けられていることを特徴とする請求項１記載のレゾルバの絶縁キャップ構造。
【発明の詳細な説明】
【０００１】
【発明の属する技術分野】
本発明は、レゾルバの絶縁キャップ構造に関し、特に、ステータ体の両面に取付ける第１、第２絶縁輪状体を同一形状とし、１種類の金型で樹脂成形することにより費用低減を行うための新規な改良に関する。
【０００２】
【従来の技術】
従来、用いられていたこの種のレゾルバの絶縁キャップ構造としては、図５及び図６の構成がある（例えば、特許文献１参照）。
すなわち、図６において符号１で示されるものは輪状のステータ体であり、このステータ体１の両面には絶縁キャップとしての第１、第２絶縁輪状体２、３が設けられている。
前記ステータ体１の内方に突出する各磁極４には、前記各絶縁輪状体２、３を介してステータ巻線５が巻付けられている。
【０００３】
前記第１絶縁輪状体２の突出部６に形成された各穴７には断面四角状のピン８が挿入固定されていると共に、このピン８には前記ステータ巻線５の端線が巻付け（からげ）られている。
【０００４】
前記第１、第２絶縁輪状体２、３は、図５に示されるように、互いに異なる形状にて構成されているため、異なる二種類の金型を用いて射出成形されている。すなわち、第１絶縁輪状体２の突出部６には、ピン８を挿入するための穴７が形成されていると共に、第２絶縁輪状体３には、前記突出部６は形成されていない構成である。
【０００５】
【特許文献１】
特開平１１−９８７４８号公報
【０００６】
【発明が解決しようとする課題】
従来のレゾルバの絶縁キャップ構造は、以上のように構成されていたため、次のような課題が存在していた。
すなわち、第１、第２絶縁輪状体は、以上のように構成されていたため、二種類の金型を用いて射出成形しなくてはならず、コスト上昇となるだけでなく、二種類の絶縁輪状体を管理しなくてはならず、生産管理上からも問題であった。
【０００７】
本発明は、以上のような課題を解決するためになされたもので、特に、ステータ体の両面に取付ける第１、第２絶縁輪状体を同一形状とし、１種類の金型で樹脂成形することにより費用低減を行うようにしたレゾルバの絶縁キャップ構造を提供することを目的とする。
【０００８】
【課題を解決するための手段】
本発明によるレゾルバの絶縁キャップ構造は、樹脂成形され全体形状が輪状をなし内方へ向けて突出する複数の突片を有する第１、第２絶縁輪状体と、前記各突片の内端に形成され軸方向に沿って延設された内側壁と、前記各突片間に形成された凹部と、前記第１、第２絶縁輪状体の周縁に形成され半径方向に突出する突出部と、前記突出部に形成された複数の穴とを備え、前記第１、第２絶縁輪状体は同一形状とした構成であり、また、前記第１、第２絶縁輪状体の少なくとも一方の前記穴にはピンが設けられている構成である。
【０００９】
【発明の実施の形態】
以下、図面と共に本発明によるレゾルバの絶縁キャップ構造の好適な実施の形態について説明する。尚、従来例と同一又は同等部分には同一符号を用いて説明する。
図１において符号２で示されるものは樹脂成形された第１絶縁輪状体であり、この第１絶縁輪状体２の内側には、内方に向けて突出する複数の突片１０が形成されていると共に、この第１絶縁輪状体２の周縁の一部には、半径方向に突出する突出部６が形成されている。また、各突片１０の内端には軸方向に延びる内側壁１１が形成され、各突片１０間には凹部１２が形成されている。
【００１０】
前記突出部６には、複数の穴７が形成され、少なくともこの第１絶縁輪状体２の穴７にはピン８が挿入固定されている。
前記ピン８には、後述のステータ巻線５の端線がからげて接続されている（図４参照）。
【００１１】
前記第２絶縁輪状体３は、図１に示されるように前記第１絶縁輪状体２と同一構造及び形状に構成され、１種類の金型で第１、第２絶縁輪状体２、３が樹脂成形される。
【００１２】
前記ピン８は、図２及び図３に示されるように、四角柱形をなしていると共に、四角状の前記穴７内に挿入固定されるように構成されている。
【００１３】
前記第１、第２絶縁輪状体２、３は、レゾルバを構成する場合、図４で示されるように、ステータ体１の両面に装着し、各磁極２０に各突片１０を介してステータ巻線５を巻付け、穴７にピン８を取付けた後、ステータ巻線５の端線をピン８にからげ、ロータ１Ａを配設するとレゾルバが得られる。
【００１４】
尚、前述の構成においては、各絶縁輪状体２、３の中、少なくとも一方の第１絶縁輪状体２に挿入固定した場合について述べたが、例えば、各絶縁輪状体２、３の穴７に挿入してピン８の両側を穴７で保持するように構成することもできる。
【００１５】
【発明の効果】
本発明によるレゾルバの絶縁キャップ構造は、以上のように構成されているため、次のような効果を得ることができる。
すなわち、１対の絶縁輪状体を１種の金型によって同一形状に樹脂成形して、穴にピンを挿入固定しているため、金型が１種で済み、安価でかつ生産性の向上を得ることができる。
【図面の簡単な説明】
【図１】本発明による各絶縁輪状体を示す平面図である。
【図２】図１のピンを示す拡大図である。
【図３】図２の平面図である。
【図４】図１の絶縁輪状体を用いたレゾルバを示す平面図である。
【図５】従来構成を示す平面図である。
【図６】図５の絶縁輪状体を用いたレゾルバを示す平面図である。
【符号の説明】
２    第１絶縁輪状体
３    第２絶縁輪状体
６    突出部
７    穴
８    ピン
１０    突片
１１    内側壁
１２    凹部
【図１】
2004153972.tif 000003
【図２】
2004153972.tif 000004
【図３】
2004153972.tif 000005
【図４】
2004153972.tif 000006
【図５】
2004153972.tif 000007
【図６】
2004153972.tif 000008